(57)【要約】【課題】  利用者に地図を表示させるのに当たり、利用者の経済的負担を軽減する。【解決手段】  放送データメモリ１１に格納された地上波デジタルテレビジョン放送の放送データは、符号化パケット化部１５により、符号化されると共にパケット化される。さらに、多重化部１６により、パケット化された放送データが地図データメモリ１３に格納された地図データと時分割多重で多重化され、アンテナ１８から放射される。これにより、利用者には放送データと地図データの両方が提供される。【選択図】  図１
2005175947.tif 000002
【特許請求の範囲】
【請求項１】
放送局に配置された装置であって、
地図作成用の地図データを格納する地図データ格納手段と、
視聴者に提供するための放送データに前記地図データ格納手段から読出した地図データを多重化する多重化手段と、
前記多重化手段によって多重化された前記放送データ及び地図データで変調波を変調して地上波を生成し、該地上波を前記放送局に固有のサービスエリアに放射する変調放射手段と、
を備えることを特徴とする放送装置。
そ  
【請求項２】
前記多重化手段は、前記放送データに前記地図データを時分割多重で多重化することを特徴とする請求項１に記載の放送装置。
【請求項３】
前記多重化手段は、複数の異なる放送チャネルの放送データに共通の地図データをそれぞれ多重化して複数のデータ列を形成し、
前記変調放射手段は、互いに異なる周波数帯域の複数の搬送波を前記各データ列によってそれぞれ変調して複数の地上波を生成し、該複数の地上波を前記サービスエリアに放射することを特徴とする請求項１又は２に記載の放送装置。
【請求項４】
前記地図データは、当該放送装置の設置されている前記放送局のサービスエリア及びその周辺を含む地図を示すものであることを特徴とする請求項１乃至３のいずれか１項に記載の放送装置。
【請求項５】
前記地図の端部に対応する位置と前記サービスエリアの端部との距離は、該サービスエリア内で前記地上波から前記地図データを取得し該サービスエリアに隣接する所定領域では該所定領域を示す地図データを取得する機能を持つ受信装置が移動体に搭載されて移動したときに、該受信装置が該距離を移動する時間よりも該受信装置が該所定領域内で該所定領域全体の地図の地図データを取得する時間が短くなるように設定されていることを特徴とする請求項４に記載の放送装置。
【請求項６】
放送局が地図作成用の地図データとサービスエリアに提供する放送の放送データとを多重化し、該多重化したデータ列により該放送に割り当てられた搬送波を変調して放射した地上波を受信するアンテナと、
前記アンテナで受信した地上波から前記データ列を抽出するチューナと、
前記抽出されたデータ列中から前記地図データを求めて蓄積する蓄積手段と、
を備えることを特徴とする地図記憶装置。
【請求項７】
前記放送局は、前記地図データと前記放送データとを時分割多重で多重化することを特徴とする請求項６に記載の地図記憶装置。
【請求項８】
前記チューナにより抽出されたデータ列中の前記放送データを抽出し、該放送データに基づき前記放送を再現する放送再現手段を、
備えることを特徴とする請求項６又は７に記載の地図記憶装置。
【請求項９】
前記蓄積手段は、前記放送再現手段によって前記放送が再現されない期間でも、前記地図データを抽出して蓄積する機能を持つことを特徴とする請求項８に記載の地図記憶装置。
【請求項１０】
前記放送は、地上波デジタルテレビジョン放送であり、
前記放送再現手段は、前記放送を表示する表示手段を備え、
前記蓄積手段から読出した前記地図データに基づき地図を作成して該地図を前記表示手段で表示する構成にしたことを特徴とする請求項８又は９に記載の地図記憶装置。
【請求項１１】
前記放送局は、異なる複数の放送の放送データにそれぞれ前記地図データを多重化し、該各放送に割り当てられた異なる周波数帯域の搬送波を変調して放射することを特徴とする請求項６乃至１０に記載の地図記憶装置。
【請求項１２】
前記地図データは、前記サービスエリア内とその周辺の地図を作成するためのデータであることを特徴とする請求項６乃至１１に記載の地図記憶装置。
【請求項１３】
移動体に組込み可能であることを特徴とする請求項６乃至１２に記載の地図記憶装置。
【請求項１４】
コンピュータに、
放送局が地図作成用の地図データとサービスエリアに提供する放送の放送データとを多重化して地上波として放射し、該地上波を受信する受信装置が該地上波から抽出した該データ列を入力し、該データ列中の前記地図データを抽出して蓄積する蓄積処理と、
前記蓄積された地図データに基づき地図を作成する地図作成処理と、
を実施させることを特徴とするプログラム。
【発明の詳細な説明】
【技術分野】
【０００１】
本発明は、放送装置、地図記憶装置及びプログラムに関する。
【背景技術】
【０００２】
地図データを受信して地図データに対応する地図を表示するナビゲーションシステムがある。このようなナビゲーションシステムには、例えば特許文献１に記載されるものがあった。
【特許文献１】特開平１０−２２４２９１号公報
【０００３】
特許文献１の技術によれば、地図データを送信する側の情報提供装置に、回線端末と、回線端末に接続されたサーバと、サーバに接続されたデータベースとを備えている。
【０００４】
回線端末は、公衆無線回線及びデータ通信サービス局と接続され、これらとサーバとの間の通信を可能にしている。データベースは、地図データの元になる地図情報を更新可能に格納している。
【０００５】
利用者は、携帯電話等で情報提供装置に対して、必要な地図データを要求する。情報提供装置のサーバは、回線端末を介してその地図データの要求を受信し、データベースに格納された地図情報に基づき、利用者の必要な地図データを生成する。サーバは、地図データを回線端末を介してデータ通信サービス局へ送信し、データ通信サービス局が地図データをアンテナから放射する。データ通信サービス局から放射された地図データが、車載装置に受信され、車載装置が地図データを可視化して利用者に表示する。
このように、例えば携帯電話を用いて要求した地図データを情報提供装置側で作成し、それをデータ通信サービス局から送信することにより、車載装置側で膨大な量の地図情報を蓄積した記録媒体を使用する必要がなくなる。また、利用者が常に最新の地図情報に基づく地図を視ることも、可能となる。
【発明の開示】
【発明が解決しようとする課題】
【０００６】
しかしながら、従来の特許文献１のナビゲーションシステムを用いて地図データを取得する場合には、携帯電話等を用いて情報提供装置に地図データの要求を送信する。そのため、地図データが必要になるごとに公衆無線網を利用することとなり、多額の費用を利用者が負担しなくてはならないという問題があった。
【０００７】
本発明は、利用者の経済的負担を軽減することを目的とする。
【課題を解決するための手段】
【０００８】
上記目的を達成するために、本発明の第１の観点に係る放送装置は、放送局に配置された装置であって、地図作成用の地図データを格納する地図データ格納手段と、
視聴者に提供するための放送データに前記地図データ格納手段から読出した地図データを多重化する多重化手段と、前記多重化手段によって多重化された前記放送データ及び地図データで変調波を変調して地上波を生成し、該地上波を前記放送局に固有のサービスエリアに放射する変調放射手段と、を備えることを特徴とする。
【０００９】
なお、前記多重化手段は、前記放送データに前記地図データを時分割多重で多重化してもよい。
【００１０】
また、前記多重化手段は、複数の異なる放送チャネルの放送データに共通の地図データをそれぞれ多重化して複数のデータ列を形成し、前記変調放射手段は、互いに異なる周波数帯域の複数の搬送波を前記各データ列によってそれぞれ変調して複数の地上波を生成し、該複数の地上波を前記サービスエリアに放射してもよい。
【００１１】
また、前記地図データは、当該放送装置の設置されている前記放送局のサービスエリア及びその周辺を含む地図を示すものであってもよい。
【００１２】
また、前記地図の端部に対応する位置と前記サービスエリアの端部との距離は、該サービスエリア内で前記地上波から前記地図データを取得し該サービスエリアに隣接する所定領域では該所定領域を示す地図データを取得する機能を持つ受信装置が移動体に搭載されて移動したときに、該受信装置が該距離を移動する時間よりも該受信装置が該所定領域内で該所定領域全体の地図の地図データを取得する時間が短くなるように設定されていてもよい。
【００１３】
上記目的を達成するために、本発明の第２の観点に係る地図記憶装置は、放送局が地図作成用の地図データとサービスエリアに提供する放送の放送データとを多重化し、該多重化したデータ列により該放送に割り当てられた搬送波を変調して放射した地上波を受信するアンテナと、前記アンテナで受信した地上波から前記データ列を抽出するチューナと、前記抽出されたデータ列中から前記地図データを求めて蓄積する蓄積手段と、を備えることを特徴とする。
【００１４】
なお、前記放送局は、前記地図データと前記放送データとを時分割多重で多重化してもよい。
また、前記チューナにより抽出されたデータ列中の前記放送データを抽出し、該放送データに基づき前記放送を再現する放送再現手段を、備えてもよい。
【００１５】
また、前記蓄積手段は、前記放送再現手段によって前記放送が再現されていない期間でも、前記地図データを抽出して蓄積する機能を持ってもよい。
また、前記放送は、地上波デジタルテレビジョン放送であり、前記放送再現手段は、前記放送を表示する表示手段を備え、前記蓄積手段から読出した前記地図データに基づき地図を作成して該地図を前記表示手段で表示する構成にしてもよい。
【００１６】
また、前記放送局は、異なる複数の放送の放送データにそれぞれ前記地図データを多重化し、該各放送に割り当てられた異なる周波数帯域の搬送波を変調して放射してもよい。
【００１７】
また、前記地図データは、前記サービスエリア内とその周辺の地図を作成するためのデータであってもよい。
また、移動体に組込み可能であってもよい。
【００１８】
上記目的を達成するために、本発明の第３の観点に係るプログラムは、コンピュータに、放送局が地図作成用の地図データとサービスエリアに提供する放送の放送データとを多重化して地上波として放射し、該地上波を受信する受信装置が該地上波から抽出した該データ列を入力し、該データ列中の前記地図データを抽出して蓄積する蓄積処理と、前記蓄積された地図データに基づき地図を作成する地図作成処理と、を実施させることを特徴とする。
【発明の効果】
【００１９】
放送に多重化された地図データにより、地図が利用者に提供されるので、利用者の経済的負担を軽くすることが可能になる。
【発明を実施するための最良の形態】
【００２０】
図１は、本発明の実施形態に係る放送装置の構成図である。
図２は、本発明の実施形態に係る地図記憶装置の構成図である。
図３は、放送局のサービスエリアを示す説明図である。
【００２１】
地上波デジタルテレビジョン放送のための放送データは、各地に設置された放送局１００，２００，…８００の持つ放送装置１０から、地上波として放射される。
【００２２】
各放送局１００〜８００は、図３のように、設置された場所を中心とするサービスアリアＳＡをそれぞれ持ち、そのサービスエリアＳＡ内の利用者に対して放送データを提供する。
【００２３】
各放送局１００〜８００が備える放送装置１０は、放送データに地図データを多重化して放射する。各放送局１００〜８００の放送装置１０が放射する地図データは、互いに異なった地図を表すものである。例えば、放送局１００の放送装置１０は、図３に示すように、自局のサービスエリアＳＡ及びその周辺１１０の地図を表す地図データを放射する。放送局２００の放送装置１０は、自局のサービスエリアＳＡ及びその周辺２１０の地図を表す地図データを放射する。同様に、放送局３００〜８００の放送装置１０は、他とは異なる自局のサービスエリアＳＡ及びその周辺３１０〜８１０をそれぞれ表す地図データを放射する。
【００２４】
各放送装置１０は、複数の放送データメモリ１１と、複数の符号化用メモリ１２と、地図データメモリ１３と、通信パケットを蓄積する複数のパケットメモリ１４と、複数の符号化パケット化部１５と、複数の多重化部１６と、複数の変調部１７と、アンテナ１８とを、それぞれ備えている。
【００２５】
放送データメモリ１１、符号化用メモリ１２及び、パケットメモリ１４及び符号化パケット化部１５は、放送チャネルごとに設けられている。
放送データメモリ１１は、放送データを一時的に格納するものであり、各放送データメモリ１１の出力側は、符号化パケット化部１５に接続されている。符号化用メモリ１２は、放送データのうちの画像データや音声データ等を符号化する際に作業用として用いられるものであり、符号化パケット化部１５と接続されている。
【００２６】
符号化パケット化部１５は、放送データの符号化を行うと共にパケットを作成するものであり、符号化パケット化部１５の出力側が、パケットメモリ１４に接続されている。パケットメモリ１４は、各放送チャネルにおける放送データがパケット化されたものを一時的に格納するものである。
【００２７】
地図データメモリ１３は、地図データ格納手段であり、各サービスエリアＳＡ内及びその周辺１１０，…，８１０を含む地図の地図データを更新可能に格納したものである。
【００２８】
各多重化部１６は、放送データのパケットと地図データとを時分割多重化する多重化手段であり、複数のパケットメモリ１４と地図データメモリ１３とに接続されている。各多重化部１６の出力側に、それぞれ変調部１７が接続されている。
符号化パケット化部１５、多重化部１６は、ＣＰＵ（Central  Processing  Unit）或いはＤＳＰ（Digital  Signal  Processor）等で構成することができる。
【００２９】
変調部１７は、アンテナ１８と相俟って変調放射手段を構成し、地図データ及び放送データを含むデータ列により、各放送チャネルに設定された搬送波を変調するものである。
【００３０】
一方、図２に示された地図記憶装置２０は、地図データを取得して記憶し、利用者の要求に応じて地図を表示する装置である。また、地図記憶装置２０は、地上波デジタルテレビジョン放送を利用者に提供する装置でもあり、車載可能になっている。
【００３１】
地図記憶装置２０は、アンテナ２１、入力部２２と、制御部２３と、チューナ部２４と、放送データメモリ２５と、蓄積手段である地図データメモリ２６と、放送データ調整部２７と、音声再生部２８と、表示部２９と、地図ナビゲーション部３０とを、備えている
【００３２】
入力部２２は、スイッチ、ボタン及びダイアル等で構成され、利用者からの指示を入力するものである。
【００３３】
制御部２３は、プログラムにしたがって動作するＣＰＵ或いはＤＳＰ等で構成され、利用者の指示に従った指示信号を発生する指示部２３ａ、多重化されたデータを分離する多重分離部２３ｂと、放送データを復元する放送データ復元部２３ｃと、を含む。
【００３４】
放送データメモリ２５は、制御部２３の放送データ復元部２３ｃに接続され、放送データを一時的に格納する。地図データメモリ２６は、制御部２３の多重分離部２３ｂに接続され、地図データを更新可能に格納する。
放送データ調整部２７は、放送データ間のタイミングを調整しつつ、放送データメモリ２５から放送データを読出すものであり、放送データメモリ２５の出力側に接続されている。放送データ調整部２７の出力側に、複数のスピーカで構成された音声再生部２８と、液晶ディスプレイ等で構成され表示部２９とが接続されている。
【００３５】
地図データメモリ２６の出力側には、地図ナビゲーション部３０が接続され、地図ナビゲーション部３０の出力側が、表示部２９に接続されている。地図ナビゲーション部３０は、制御部２３の指示部２３ａからの指示信号に基づき、地図データを地図データメモリ２６から読出し、地図データを表示部２９に与えるものである。
【００３６】
次に、放送装置１０及び地図記憶装置２０の動作を説明する。
地上波デジタルテレビジョン放送は、画像及び音声からなる所謂テレビジョン放送サービスばかりでなく、音声放送サービス及びデータ放送サービスの提供が可能である。データ放送サービスとしては、ＥＰＧ（電子番組ガイド）、字幕、文字スーパー等がある。放送装置１０では、外部から与えられたこれらのサービスに対応する放送データを放送チャネルごとに設けられた放送データメモリ１１に一時的に格納する。
【００３７】
放送装置１０の符号化パケット化部１５は、放送データメモリ１１から読出した放送データのうちの音声を表す音声データと画像を表す画像データとを、放送チャネルごとの符号化用メモリ１２を利用して圧縮（符号化）し、それらを一旦符号用メモリ１２に格納する。符号化パケット化部１５は、必要に応じ、符号化用メモリ１２に格納された放送データと、放送データのうちの符号化の不要なテキストデータ等のデータとをそれぞれパケット化し、さらに、これらを合成したパケットを作成し、合成したパケットのデータ列を、放送チャネルごとのパケットメモリ１４にそれぞれ格納する。
【００３８】
多重化部１６は、各放送チャネルごとのパケットメモリ１４に格納されたデータ列に、地図データメモリ１３に格納された地図データを逐次呼び出し、時分割多重でそれぞれ多重化し、変調部１７に与える。
【００３９】
各変調部１７は、地図データ及び放送データが多重化されて多重化部１６から与えられたデータ列で、放送チャネルに割り当てられた周波数帯域の搬送波を変調し、アンテナ１８から地上波として放射する。ここでの変調はＯＦＤＭ（Orthogonal  Frequency  Division  Multiplexing）方式であり、放送チャネルに割り当てられた周波数帯域をさらに細分化した周波数の複数の搬送波を変調する。
【００４０】
アンテナ１８からは、複数の放送チャネルの放送データが放射されるとともに、地図を作成するための地図データが放射される。この放射された地図データは、異なる放送チャネルの放送データと時分割多重化されているが、当該放送装置１０が設置された放送局１００〜８００のサービスエリアＳＡとそれを囲む周辺１１０〜８１０をそれぞれ表すものであり、等しいものである。
【００４１】
サービスエリアＳＡ内では、そのサービスエリアＳＡに放送データを供給する放送局１００〜８００から、地図データと放送データとを受信することができる。
【００４２】
地図記憶装置２０の利用者は、地上波デジタルテレビジョン放送を視聴する場合には、入力部２２により、視聴する放送チャネルを指示する。
制御部２３中の指示部２３ａは、チューナ２４に受信する放送チャネル示す指示信号を与えるとともに、放送データ調整部２７に放送を視聴することを示す指示信号を与える。
【００４３】
チューナ２４は、指示部２３ａからの指示に対応する放送チャネルの被変調波を抽出して復調し、多重分離部２３ｂに与える。多重分離部２３ｂは、チューナ２４の出力信号から放送データと地図データとを分離し、放送データを放送データ復元部２３ｃに与え、地図データを地図データメモリ２６に格納する。放送データ復元部２３ｃは、放送データの復号化（伸長）を行い、放送データメモリ２５に格納する。
【００４４】
地図データメモリ２６には、放送データに時分割多重で多重化された地図データが逐次蓄積され、所定の時間が経過すれば、地図記憶装置２０を搭載した車両の位置するサービスエリアＳＡの全域とその周辺１１０，…，８１０とを示す地図データが、全て格納される。
【００４５】
地上波デジタルテレビジョン放送を視聴することが指示されている放送データ調整部２７は、放送データメモリ２５に格納されている放送データを読出し、タイミング調整を行いつつ音声再生部２８、表示部２９、又はその両方に放送データを与える。これにより、利用者の希望する放送チャネルの音声が音声再生部２８から発生する。また、利用者の希望する放送チャネルの画像が表示部２９で表示される。音声再生部２８で発生する音声の音量調整及び表示部２９での表示輝度の調整は、入力部２２を介して利用者が入力した情報に基づいて制御部２３の指示部２３ａが表示部２９及び音声再生部２８に対して発生した指示信号によって行われる。
【００４６】
地上波デジタルテレビジョン放送を視聴している最中に地図を表示させる場合には、利用者は入力部２２を介して地図を表示する指示等を入力する。
制御部２３中の指示部２３ａは、地図を表示する指示信号を地図ナビゲーション部３０及び表示部２９に与える。
【００４７】
地図を表示する指示や地図に表示する場所の情報を受信した地図ナビゲーション部３０は、地図データメモリ２６から地図データを読出し、表示部２９に与える。表示部２９は、例えば、それまで視聴されている放送を中断或いはテレビジョン放送の画像を縮小し、地図を表示する。
【００４８】
利用者が入力部２２を介して情報や条件を入力して、制御部２３から地図ナビゲーション部３０に指示を出させることにより、表示部２９に表示した地図の縮尺率を変更したり、表示した地図の中心にする場所をずらすことも可能である。
利用者が地上波デジタルテレビジョン放送の放送を視聴していない状態でも、地図記憶装置２０は、地図データの取得と地図の表示が可能である。
【００４９】
地上波デジタルテレビジョン放送の放送を視聴していないときでも、チューナ２４、制御部２３、地図データメモリ２６が稼働している状態にしておくと、
地図データは、放送データと共にアンテナ２１、チューナ２４を介して受信される。制御部２３は、多重分離部２３ｂにより、地図データを復元する。復元された地図データが地図データメモリ２６に蓄積される。
【００５０】
利用者が地図データメモリ２６に蓄積された地図データに基づく地図を視る時、前記同様に、入力部２２から地図を表示させる指示を入力する。制御部２３の指示部２３ａは、地図を表示させる指示を地図ナビゲーション部３０及び表示部２９に与える。
【００５１】
地図ナビゲーション部３０は、地図データを地図データメモリ２６から読出し、表示部２９に与える。表示部２９が地図データに対応する地図を表示する。
以上のように、本実施形態の放送装置１０を放送局１００〜８００に配置し、地図記憶装置２０を車両等に搭載することにより、次のような利点が得られる。
【００５２】
（１）  地図を表示するための地図データを取得するのに、公衆網を使用しなくてもよい。よって、利用者の経済負担が軽減できる。
（２）  地上波テレビジョン放送を視聴できるばかりでなく、地図の表示も可能になる。
【００５３】
（３）  地図記憶装置２０に、地上波デジタルテレビジョン放送を視聴するために必要な部品以外に地図データメモリ２６を実装するだけでよいので、地図の表示と放送の視聴とが可能な地図記憶装置２０を低コストで提供することが可能である。
（４）  放送装置１０は、放送チャネルごとの放送データに共通の地図データを多重化する構成にしたので、利用者がどの放送チャネルを視聴していても、地図データを地図データメモリ２６に蓄積できる。
【００５４】
（５）  時分割多重で地図データを放送データに多重化するので、地上波テレビジョン放送の各放送チャネルにおける地図データの占有率（ビットレート）が低くて済み、地上波デジタルテレビジョン放送の送受信に悪影響を与えることがない。
（６）  各放送局１００〜８００に設置された放送装置１０が、各放送局１００〜８００のサービスエリアＳＡ及びその周辺１１０〜８１０の地図を示す地図データに限定してそれぞれ放射するので、各放送装置１０の地図データメモリに格納する地図データの量が、少なくて済む。さらに、地図データを最新の状態に維持する処理も、容易である。
【００５５】
（７）  地図記憶装置２０は、車載されて移動するので、それまでいた放送局１００〜８００のサービスエリアＳＡから他の放送局１００〜８００のサービスエリアＳＡに入れば、新たな地図を示す地図データが与えられる。よって、地図記憶装置２０の地図データメモリ２６の容量は、例えば全国の地図の地図データを蓄積するものに比べて遙かに小さくて済む。
【００５６】
（８）  利用者が地上波テレビジョン放送の放送を視聴しなくても、地図データを取得できるので、利便性が高い。
【００５７】
（９）  各放送装置１０で地図データメモリ１３に格納する地図データを、各放送局１００〜８００のサービスエリアＳＡばかりでなく、サービスエリアＳＡとその回りを囲む周辺１１０〜８１０を示すものとし、周辺１１０〜８１０の大きさを適切に設定すると、地図記憶装置２０側で表示する地図にとぎれが発生しなくて済む。以下、その説明をする。
図４は、地図データで示す地図の範囲の説明図である。
図４のように、例えば放送局１００のサービスエリアＳＡ１００のａ地点にいる車両４０に地図記憶装置２０が搭載されているものとし、車両４０が他の例えば放送局２００のサービスエリアＳＡ２００に移動するものとする。地図記憶装置２０は、放送局１００のサービスエリアＳＡ１００に位置する期間に、放送局１００が放射した地図データに基づき、放送局１００のサービスエリアＳＡ１００及びその周辺１１０の地図を表示することができる。
車両４０が、放送局１００に隣接する放送局２００のサービスエリアＳＡ２００と放送局１００のサービスエリアＳＡ１００との境界の地点ｂをすぎると、地図記憶装置２０は、放送局２００が放射する地図データを受信し始める。放送局２００の放射する地図データは、放送局２００のサービスエリアＳＡ２００とその周辺２１０を示す。
【００５８】
車両４０の位置が、サービスエリアＳＡ１００の端部の地点ｂと周辺１１０の端部の地点ｃとの間であれば、車両４０が放送局１００のサービスエリアＳＡ１００にある時に受信して蓄積された地図データを用いることにより、車両４０の位置の地図を表示できる。
【００５９】
そこで、車両４０がサービスエリアＳＡ１００の端部の地点ｂと周辺１１０の端部の地点ｃとの間に位置する期間に、サービスエリアＳＡ２００とその周辺２１０とを示す地図データが地図記憶装置２０の地図データメモリ２６に書込まれるように、地点ｂから地点ｃまでの距離を設定して、地図データとして放出することで、地図の表示のとぎれを防止できる。なお、この地点ｂから地点ｃまでの距離は、車輌４０が直線的に移動するものとして設定しなくてもよい。高速道路等の高速運転が可能であれば、その距離を大きく設定し、山間部や道路が直線的でない場所等では、その距離を小さくしてもよい。
【００６０】
なお、本発明は、上記実施形態に限定されず、種々の変形が可能である。その変形例としては、次のようなものがある。
（Ｉ）  地図記憶装置２０は、地上波デジタルテレビジョン放送の視聴と地図の表示の両方か可能であるが、地図の表示だけを行う地図記憶装置にも本発明は、適用可能である。さらに、地図記憶装置２０にプリンタを設け、表示部２９で表示する代わりに、プリンタで地図を印刷する構成にしてもよい。また、地図記憶装置２０に記録媒体にアクセスする手段を設け、記憶した地図を記録媒体に書き込む構成にしてもよい。
、      
【００６１】
（ＩＩ）  地図記憶装置２０は、車両４０に車載されているが、車載されなくてもよい。
（ＩＩＩ）  例えば地図ナビゲーション部３０が、音声再生部２８に音声信号を出し、表示する地図に対するガイダンスを適宜に音声再生部２８から出力させる構成にしてもよい。
【図面の簡単な説明】
【００６２】
【図１】本発明の実施形態に係る放送装置の構成図である。
【図２】本発明の実施形態に係る地図記憶装置の構成図である。
【図３】サービスエリアの説明図である。
【図４】地図データで示す地図の範囲の説明図である。
【符号の説明】
【００６３】
１０      放送装置
１１      放送データメモリ
１２      符号化用メモリ
１３      地図データメモリ
１４      パケットメモリ
１５      符号化パケット化部
１６      多重化部
１７      変調部
１８      アンテナ
２０      地図記憶装置
２１      アンテナ
２３      制御部
２３ａ    指示部
２３ｂ    多重分離部
２３ｃ    放送データ復元部
２５      放送データメモリ
２６      地図データメモリ
２７      放送データ調整部
２８      音声再生部
２９      表示部
３０      地図ナビゲーション部
４０      車両
１００〜８００    放送局
１１０〜８１０    周辺
ＳＡ      サービスエリア
【図１】
2005175947.tif 000003
【図２】
2005175947.tif 000004
【図３】
2005175947.tif 000005
【図４】
2005175947.tif 000006